(57)【要約】      （修正有）【課題】プレキャストコンクリート版を目地なしの状態で連続させて一体化することができ、しかも、局部的に大重量がかかる埠頭や滑走路として使用に耐える耐荷重性に優れたに耐えることができるＰＣ床板構築方法の提供。【解決手段】長方方形状をしたプレキャストコンクリート版１の両対角線位置にＰＣ緊張材挿通孔を貫通開口させておき、これをそれぞれの長手方向の２辺を支持させた状態で、前後左右に多数並べて設置することにより床板を形成させ、対角線方向に隣り合う複数のプレキャストコンクリート版１のＰＣ緊張材挿通孔に跨らせて連続したＰＣ緊張材３０を挿通させ、その両端を前記床板の両側部において緊張定着させることにより各プレキャストコンクリート版１に対角線方向のプレストレスを付与する。【選択図】図９
2006283317.tif 000002
【特許請求の範囲】
【請求項１】
長方形状をしたプレキャストコンクリート版の両対角線位置に対角方向に向けた対角方向ＰＣ緊張材挿通孔と、該長方形の少なくとも中央域に所定間隔を隔てて短辺方向に向けた短辺方向ＰＣ緊張材挿通孔とをそれぞれ形成しておき、
該プレキャストコンクリート版の周囲４辺の内の少なくとも長辺側の２辺を支持させた状態で、前後左右に多数並べて設置することにより床板を形成させ、両対角線方向に隣り合う複数のプレキャストコンクリート版の対角方向ＰＣ緊張材挿通孔に跨らせて連続した対角方向ＰＣ緊張材を挿通させるとともに、
前記短辺方向に隣り合うプレキャストコンクリート版に跨らせて前記幅方向ＰＣ緊張材挿通孔に連続した幅方向ＰＣ緊張材を挿通させ、各ＰＣ緊張材の両端を前記床板の両側部において緊張定着させたことを特徴としてなるプレキャストコンクリート版を使用したプレストレストコンクリート床板。
【請求項２】
長手方向に隣り合う前記各プレキャストコンクリート版間の目地コンクリート内に前記短辺方向に向けた目地用ＰＣ緊張材を挿通し、前記目地コンクリートに短辺方向のプレストレスを付与した請求項1に記載のプレキャストコンクリート版を使用したプレストレストコンクリート床板。
【請求項３】
長方形状をしたプレキャストコンクリート版の両対角線位置に対角方向に向けた対角方向ＰＣ緊張材挿通孔と、該長方形の少なくとも中央域に所定間隔を隔てて短辺方向に向けた短辺方向ＰＣ緊張材挿通孔とをそれぞれ形成しておき、該プレキャストコンクリート版をその２長辺の底面を支持させた状態で、前後左右に多数並べて設置することにより床板を形成させ、両対角線方向に隣り合う複数のプレキャストコンクリート版の対角方向ＰＣ緊張材挿通孔に跨らせて連続した対角方向ＰＣ緊張材を挿通させるとともに、前記短辺方向に隣り合うプレキャストコンクリート版に跨らせて前記短辺方向ＰＣ緊張材挿通孔に連続した幅方向ＰＣ緊張材を挿通させ、各ＰＣ緊張材両端を前記床板の両側部において緊張定着させたプレストレストコンクリート床板の構築に際し、
前記プレキャストコンクリート版を前後左右に並べて所定長さに形成された床板の長さ方向の一部に、該床板の全幅に亘って前記対角方向ＰＣ緊張材による両対角線方向の何れのプレストレスをも付与しない収縮吸収部を残してその両側のプレキャストコンクリート版間に跨らせた各対角方向ＰＣ緊張材を緊張定着させてプレストレスを導入させ、一定の期間が経過した後、前記収縮吸収部とその両側の先緊張部とを、両者に跨った両対角方向ＰＣ緊張材を緊張定着させることによって一体化させるプレキャストコンクリート版を使用したプレストレストコンクリート床板の構築方法。
【請求項４】
長手方向に隣り合う前記各プレキャストコンクリート版間の目地コンクリート内に前記短辺方向に向けた目地用ＰＣ緊張材を挿通しておき、該ＰＣ緊張材を緊張することによって目地コンクリート内に短辺方向に向けたプレストレスを導入させる請求項３に記載のプレキャストコンクリート版を使用したプレストレストコンクリート床板。
【請求項５】
プレキャストコンクリート版は、対角線方向に予めプレストレスが付与されているものを使用する請求項３又は４に記載のプレキャストコンクリート版を使用したプレストレストコンクリート床板の構築方法。
【発明の詳細な説明】
【技術分野】
【０００１】
本発明は、海上や谷合等において、下部工に支持させて滑走路等として使用できる連続した長大な床板を、プレキャストコンクリート版を使用して構築するプレキャストコンクリート版を使用したプレストレストコンクリート床板（以下ＰＣ床板と記す）及びその構築方法に関する。
【背景技術】
【０００２】
一般に、水上に構築する桟橋や航空機用滑走路等の床板を構築するに際しては、杭等の支柱に支持させた床板支持枠の上にプレキャストコンクリート版を並べて設置し、その表面を走行用の路面としたり、その上にアスファルト舗装を施して路面としたりする方法が考えられる。この場合、プレキャストコンクリート版には正方形をしたプレストレストコンクリート版を使用することが、重量や耐荷重の面で有利である。
【０００３】
また、プレキャストコンクリート版を並べてコンクリート床板を構成する場合、床板全体を一体化し、これに連続したプレストレスを付与する方法として、床板の幅方向及び長手方向にそれぞれ各プレキャストコンクリート版に跨らせてＰＣ緊張材を挿通し、これらを単位長さ毎に緊張定着する方法が一般的であった。
【発明の開示】
【発明が解決しようとする課題】
【０００４】
従来のプレキャストコンクリート版を並べ、これらに跨らせて連続したＰＣ緊張材を縦横方向に挿通してプレストレス付与することにより長大なコンクリート床板を構築する場合、正方形のプレキャストコンクリート版を使用し、その４辺を下部の梁に支持させた構造とすると、プレキャストコンクリート版表面に作用する荷重によって発生する曲げモーメントは縦横方向に同じ大きさになるため、縦横方向に同じプレストレスを付与する必要が生じる。
【０００５】
しかし、一度にプレストレスを付与できる長さは、プレキャストコンクリート版の重量や、緊張力を付与するための機材等の条件によって限界があり、例えば空港の滑走路のように幅数百ｍ、長さ数ｋｍもの路盤を形成する場合、路盤の幅方向のプレストレス付与作業は形成される路盤の外で行うことができるが、長さ方向のプレストレス付与作業は、形成される路盤内に作業空間を一定長さ毎に確保する必要がある。
【０００６】
即ち、図１３に示すように、複数のプレキャストコンクリート版５０，５０に連続させてＰＣ緊張材５３を挿通し、ある区間例えば１００ｍ程度の長さ毎にＰＣ緊張材５３の緊張定着のための作業空間５４が必要になり、緊張作業後に、図１４に示すようにこの空間５４を場所打ちのコンクリート５５で埋めることが必要になる。
【０００７】
また、この部分はプレストレスを導入させることが困難であるため、鉄筋コンクリート造とせざるを得ず、しかもこの部分が伸縮目地となるため、段差ができたり、その上の舗装５１にひび割れを生じたりする原因となり、走行性に損なうこととなるという問題がある。
【０００８】
また、上述の如き従来のプレキャストコンクリート版において、例えば空港の滑走路や航空機通路、更には埠頭におけるガントリークレーンの通路等、局部的に６００ｔもの超大荷重が掛かるような場所に使用するような場合に、十分な耐荷重を得ようとすると、全体の板厚を大きくし、しかも平面全域に亘って大きなプレストレスを導入しなければならず、プレキャストコンクリート版自体の重量が極めて大きなものとなって取り扱いに困難が生じ、また製造に高度の技術とＰＣ緊張材やコンクリート等の多くの資材及びプレストレス導入のための高度の設備を必要とし、高コストとならざるを得ないという問題があり、また、正方形のプレキャストコンクリート版を使用する場合には、道路搬送が必要な場合には大きさに限界があり、例えば１０ｍ四方といったような大型のものの道路輸送ができないという問題があった。
【０００９】
また、局部的に大荷重かかかる場所に、広面積のプレキャストコンクリート版を使用した場合、局部的荷重が中央より偏った部分に作用すると板自体に反りが発生し、隅部が浮き上がる状況が生じ、航空機やクレーンが通過する度に支持部が浮き上がって振動し、隣り合う板との間に段差が生じる事となるため、これを防止するためにプレキャストコンクリート版の４隅とその下の下部支持構造との連結を強固なものとする必要があり、そのためには高度の技術と高価な資材が必要になるという問題がある。
【００１０】
本発明は上述の如き従来の問題に鑑み、全長数１０００ｍ、全幅数１００ｍといった長大な連続した平面の床板を、プレキャストコンクリート版を目地なしの状態で連続させて一体化することができ、しかも、局部的に大重量がかかる埠頭や滑走路として使用に耐える耐荷重性に優れたプレキャストコンクリート版を使用したＰＣ床板及びその構築方法の提供を目的としてなされたものである。
【課題を解決するための手段】
【００１１】
上述の如き従来の問題を解決し、所期の目的を達成するための請求項１に記載の発明の特徴は、長方形状をしたプレキャストコンクリート版の両対角線位置に対角方向に向けた対角方向ＰＣ緊張材挿通孔と、該長方形の少なくとも中央域に所定間隔を隔てて短辺方向に向けた短辺方向ＰＣ緊張材挿通孔とをそれぞれ形成しておき、該プレキャストコンクリート版の周囲４辺の内の少なくとも長辺側の２辺を支持させた状態で、前後左右に多数並べて設置することにより床板を形成させ、両対角線方向に隣り合う複数のプレキャストコンクリート版の対角方向ＰＣ緊張材挿通孔に跨らせて連続した対角方向ＰＣ緊張材を挿通させるとともに、前記短辺方向に隣り合うプレキャストコンクリート版に跨らせて前記短辺方向ＰＣ緊張材挿通孔に連続した幅方向ＰＣ緊張材を挿通させ、各ＰＣ緊張材の両端を前記床板の両側部において緊張定着させたことを特徴としてなるプレキャストコンクリート版を使用したプレストレストコンクリート床板にある。
【００１２】
また、請求項２に記載の発明の特徴は、前記請求項１の構成に加え、長手方向に隣り合う前記各プレキャストコンクリート版間の目地コンクリート内に前記短辺方向に向けた目地用ＰＣ緊張材を挿通し、前記目地コンクリートに短辺方向のプレストレスを付与したことにある。
請求項３に記載の発明の特徴は、長方形状をしたプレキャストコンクリート版の両対角線位置に対角方向に向けた対角方向ＰＣ緊張材挿通孔と、該長方形の少なくとも中央域に所定間隔を隔てて短辺方向に向けた短辺方向ＰＣ緊張材挿通孔とをそれぞれ形成しておき、該プレキャストコンクリート版をその２長辺の底面を支持させた状態で、前後左右に多数並べて設置することにより床板を形成させ、両対角線方向に隣り合う複数のプレキャストコンクリート版の対角方向ＰＣ緊張材挿通孔に跨らせて連続した対角方向ＰＣ緊張材を挿通させるとともに、前記短辺方向に隣り合うプレキャストコンクリート版に跨らせて前記短辺方向ＰＣ緊張材挿通孔に連続した幅方向ＰＣ緊張材を挿通させ、各ＰＣ緊張材両端を前記床板の両側部において緊張定着させたプレストレストコンクリート床板の構築に際し、前記プレキャストコンクリート版を前後左右に並べて所定長さに形成された床板の長さ方向の一部に、該床板の全幅に亘って前記対角方向ＰＣ緊張材による両対角線方向の何れのプレストレスをも付与しない収縮吸収部を残してその両側のプレキャストコンクリート版間に跨らせた各対角方向ＰＣ緊張材を緊張定着させてプレストレスを導入させ、一定の期間が経過した後、前記収縮吸収部とその両側の先緊張部とを、両者に跨った両対角方向ＰＣ緊張材を緊張定着させることによって一体化させるプレキャストコンクリート版を使用したプレストレストコンクリート床板の構築方法にある。
【００１３】
また、請求項４に記載の発明の特徴は、前記請求項３の構成に加え、長手方向に隣り合う前記各プレキャストコンクリート版間の目地コンクリート内に前記短辺方向に向けた目地用ＰＣ緊張材を挿通しておき、該ＰＣ緊張材を緊張することによって目地コンクリート内に短辺方向に向けたプレストレスを導入させることにある。
【００１４】
更に、請求項５に記載の発明の特徴は、前記請求項３又は４の構成に加え、プレキャストコンクリート版は、対角線方向に予めプレストレスが付与されているものを使用することにある。
【発明の効果】
【００１５】
本発明においては、長方形状をしたプレキャストコンクリート版の両対角線位置に対角方向に向けた対角方向ＰＣ緊張材挿通孔を、該長方形の少なくとも中央域に所定間隔を隔てて短辺方向に向けた短辺方向ＰＣ緊張材挿通孔をそれぞれ形成しておき、該プレキャストコンクリート版をその周囲４辺の内の少なくとも長辺側の２辺を支持させた状態で、前後左右に多数並べて設置することにより床板を形成させ、両対角線方向に隣り合う複数のプレキャストコンクリート版の対角方向ＰＣ緊張材挿通孔に跨らせて連続した対角方向ＰＣ緊張材を挿通させるとともに、前記短辺方向に隣り合うプレキャストコンクリート版に跨らせて前記短辺方向ＰＣ緊張材挿通孔に連続した幅方向ＰＣ緊張材を挿通させ、各ＰＣ緊張材両端を前記床板の両側部において緊張定着させたことにより、使用するプレキャストコンクリート版が長方形であり、その長辺側の２辺を支持させる構造であるため、使用するプレキャストコンクリート版に生じる曲げモーメントは長辺方向に比べて短辺方向が大きく、即ち、曲げモーメントの卓越方向は短辺方向であるため、短辺方向に向けたＰＣ緊張材によって曲げモーメントに対抗させるためのプレストレスの殆んど全てを受け持たせることができ、滑走路のように長大な路盤を構築する場合、比較的長さの短い幅方向に多くのプレストレスを付与させればよくなり、充分なプレストレスを作業性良く付与できる。
【００１６】
また、長辺方向のプレストレスは、対角線方向に跨らせて挿通したＰＣ緊張材による斜め方向の緊張力によって付与されるものであるが、この緊張力によるプレキャストコンクリート版長辺方向の分力が大きくなり、長手方向（長辺方向）に大きく作用するとともに、プレキャストコンクリート版の曲げモーメントは長辺方向には小さいため、この斜め方向のプレストレスによって充分な大きさのものが容易に付与できるとともに、幅を小さく、長さを長くしたプレキャストコンクリート版が使用できるため、大型のものであっても道路輸送が可能となり、工場にて製造した高品質のプレキャストコンクリート版が使用できる。
【００１７】
更に、前記斜め方向のプレストレスの付与作業は、構築されるＰＣ床板の側縁外で行うことができ、滑走路のような路盤の造成に際し、路盤中に作業空間を設けることなく施工できるため、均質に連続した長大なＰＣ床板の造成が可能となる。
【００１８】
また、長手方向に隣り合う前記各プレキャストコンクリート版間の目地コンクリート内に前記短辺方向に向けた目地用ＰＣ緊張材を挿通し、前記目地コンクリートに短辺方向のプレストレスを付与することにより、目地コンクリートを含む床板全体をプレストレスとコンクリート構造となる。
【００１９】
また、上記ＰＣ床板の構築に際し、前記プレキャストコンクリート版を前後左右に並べて所定長さに形成された床板の長さ方向の一部に、該床板の全幅に亘って前記対角方向ＰＣ緊張材による両対角線方向の何れのプレストレスをも付与しない収縮吸収部を残してその両側のプレキャストコンクリート版間に跨らせた各ＰＣ緊張材を緊張定着させてプレストレスを導入させ、一定の期間が経過した後、前記収縮吸収部とその両側の先緊張部とを、両者に跨った両対角方向ＰＣ緊張材を緊張定着させることによって一体化させることにより、先緊張部のプレキャストコンクリート版のコンクリート乾燥収縮が、収縮吸収部によって吸収されることとなり、先緊張部の収縮によって収縮吸収部における目地間隔が広がるが、その広がった部分に目地モルタルを充填して収縮吸収部分を一体化させることにより、完成されたＰＣ床板全体のコンクリート乾燥収縮による移動を小さいものとすることができる。
【００２０】
更に、プレキャストコンクリート版は、対角線方向に予めプレストレスが付与されているものを使用することにより、プレキャストコンクリート版自体の耐荷重能力が大きくなり、複数のプレキャストコンクリート版に跨らせたプレストレスの導入以前にあっても、並べて設置されたプレキャストコンクリート版の上を車両や作業機を走行させることができることとなり、床板構築の作業性が向上する。
【発明を実施するための最良の形態】
【００２１】
次に本発明の実施の形態を図面に示した実施例に基づいて説明する。
【００２２】
図1〜図５は本発明おいて使用しているプレキャストコンクリート版の一例を示している。このプレキャストコンクリート版１は長方形をしており長方形の短辺が長辺の１／２程度比率に成形され、一例として長辺が約８ｍ、短辺が約４ｍの大きさとなっている。このプレキャストコンクリート版１の底面には、両対角線位置に対角線突条部２，２が互いにクロスした配置に成形されているとともに、周縁部下面に額縁状に配置された周辺突条部３一体に成形されている。
【００２３】
プレキャストコンクリート版１の４隅部には、ＰＣ緊張材端部定着用の切欠部４，４……が形成されており、その各切欠部４にはプレキャストコンクリート版本体の対角線と直行する角度を持った定着面４ａが形成され、該定着面４ａに支圧板５，５が埋設され、該支圧板５にプレキャストコンクリート版１の対角線方向に挿通されて緊張されたＰＣ緊張材６の端部が定着されている。このＰＣ緊張材６は、プレキャストコンクリート版１の隅部では上面側に近く、中央部分では対角線突条部２の下面側に近づけた配置に挿通され、緊張によって中央部分に上向きの分力、即ち揚力が働くように設置されている。
【００２４】
尚、ＰＣ緊張材６によるプレストレスの導入は、プレキャストコンクリート版製作ヤードにおいてプレテンション方式又はポストテンション方式によって所望のプレストレスを予め付与しておくものであり、これによってプレキャストコンクリート版単体での弾性を高め、例えば架設後において、最終的なプレストレス導入以前の状態であっても、作業用車両や重機の走行が可能とする。
【００２５】
プレキャストコンクリート版１には、前記対角線突条部２の底面に近づけた位置に、両各対角線方向に向けて前記切欠部４の定着面４ａに貫通開口させた対角方向ＰＣ緊張材挿通孔７，７が形成されているとともに、長手方向の中央部分には、プレキャストコンクリート版１の上面に近づけた位置に、短辺方向、即ちプレキャストコンクリート版幅方向に向けて両側面に貫通開口した短辺方向ＰＣ緊張材挿通孔８，８……が多数形成されている。
【００２６】
この実施例では、短辺方向ＰＣ緊張材挿通孔８，８……が、プレキャストコンクリート版１の長辺方向の中央部分を中心にし、全域が該長辺長さの１／２程度の範囲に一定間隔毎に設けられているが、プレキャストコンクリート版の長辺方向全長に亘って設けてもよい。
【００２７】
これらのＰＣ緊張材挿通孔７，８は、例えば螺旋巻管等のＰＣ緊張材挿通用のシース（鞘管）をプレキャストコンクリート版１のコンクリート打設成形時に埋設しておくことによって形成する。
【００２８】
次に、上述したプレキャストコンクリート版１を使用したＰＣ床板の構築に際しての作業工程ついて説明する。
【００２９】
１．下部工及びプレキャストコンクリート版仮架設工
例えば水底地盤等に支持させて立設した杭等の支柱の上に、図６、図7に示すように床板支用の下部工１０を構築する。この下部工１０は上面にプレキャストコンクリート版１の長辺側２辺の下面を支持させる互いに平行な桁１０ａ，１０ａ……が架設され、この桁１０ａ，１０ａ上に互いに隣り合うプレキャストコンクリート版１を共に支持させる沓１１，１１……を設置する。沓１１は、後述するプレキャストコンクリート版相互間の高さ調整ができる構造のものを使用する。この沓１１，１１……に支持させてプレキャストコンクリート版１，１……を並べて仮架設する（図６）。この時、長手方向側に隣り合うプレキャストコンクリート版１，１間において隣り合う辺間の幅方向目地１２の間隔を１５０ｍｍ程度開けておく。
【００３０】
尚、本実施例では長方形のプレキャストコンクリート版１の２長辺を、下部工１０の桁１０ａに支持させた所謂２辺支持構造としているが、これと同時に短辺側の２辺或いは１辺を支持させる構造であってもよい。
【００３１】
の
２．高さ調整工
仮架設後、隣り合うプレキャストコンクリート版１，１間の高さ調整を行う。沓１１は図８（ａ）に示すように、鋼製のモルタル受け箱１５内にコイルスプリング１６に底面を支持させて平板状をしたパッド１７が上向きに付勢されて収容されている。高さ調整に際しては、段差調整用の金具１８をプレキャストコンクリート版１，１間に跨らせ、これをボルト１９によってプレキャストコンクリート版１に固定することによって行う。ボルト１９は予め設置しておいたアンカーナット２０に螺合させる。これによってプレキャストコンクリート版１，１間の高さを揃える。この時、各沓１１，１１……の取り付け高さのばらつきや、プレキャストコンクリート版１の成形誤差によって下部工１０の上面とプレキャストコンクリート版１の底面との間隔にばらつきが生じるが、パッド１７はコイルスプリング１６によってプレキャストコンクリート版１の底面に押し付けられた状態となる。この状態で例えば油圧ジャッキ等の高さ調整具を使用して平面度の調整を行う。このようにして高さの調整作業を行った後、図８（ｂ）に示すようにモルタル受け箱１５内に無収縮性のモルタル２１を充填し、パッド１７の下側を埋め、これによって各沓１１の高さを固定する。
【００３２】
上述のように、沓１１を構成させることにより、高さ調整後における沓１１の高さ調整がコイルスプリング１６の弾力によって自動的になされ、その高さがモルタル受け箱１５内にモルタルを充填するのみで固定されることとなり、高さ調整後の裏面の支持構造の調整が簡単にできる。
【００３３】
３．対角方向ＰＣ緊張材の連続挿通工
図９に示すように、対角線方向に互いに隣り合うプレキャストコンクリート版１，１……のＰＣ緊張材挿通孔７，７……に跨らせて対角方向ＰＣ緊張材３０を連続挿通させる。この作業は例えば図１０に示すように、プレキャストコンクリート版１毎に個別ＰＣ緊張材３０ａを挿通しておき、これを対角線方向のプレキャストコンクリート版間の空間部３１内においてカプラー３０ｂによって連結する。
【００３４】
このように予め各プレキャストコンクリート版１に個別ＰＣ緊張材３０ａを、その両端を突出させた状態で挿通しておくことにより、現場におけるＰＣ緊張材挿通作業が簡略化されると共に、各プレキャストコンクリート版１におけるＰＣ緊張材挿通孔７が上下左右に湾曲した形状である場合にも、各個別ＰＣ緊張材３０ａ間を連結するのみでＰＣ緊張材３０の連続挿通させることができる。
【００３５】
この他、連続用のＰＣ緊張材が挿通されていない状態のプレキャストコンクリート版１を使用し、前述した高さ調整後、必要長さのＰＣ緊張材３０を各ＰＣ緊張材挿通孔７，７……に跨らせて挿通してもよい。
【００３６】
尚、いずれの場合も、各プレキャストコンクリート版１の四隅の切欠部形状によって構成される空間部３１においては、ケーブルダクト３２ａ内にＰＣ緊張材３０を挿通させた状態とする。この場合、カプラー３０ｂ使用する方式では、例えば伸縮式のシースや半割り状のシースをケーブルダクトとして使用する。
【００３７】
４．幅方向ＰＣ緊張材連続挿通工
図９、図１１に示すように、互いに並べて設置されたプレキャストコンクリート版１，１の長辺間、即ち桁１０ａ上の長辺方向目地３３に、互いに隣り合うプレキャストコンクリート版１の短辺方向ＰＣ緊張材挿通孔８，８に跨らせてケーブルダクト３２ｂを設置し、このケーブルダクト３２ｂを通して幅方向に並べられた複数のプレキャストコンクリート版１，１……に跨らせて幅方向ＰＣ緊張材３４を挿通する。
【００３８】
尚、このＰＣ緊張材３４の挿通は、前述したケーブルダクト３２ｂを設置した状態で長辺間目地３３内に後述する目地モルタルを充填した後に行ってもよい。また、一度に緊張を行うＰＣ床板全幅に跨らせて1本のＰＣ緊張材３４を挿通する他、複数のＰＣ緊張材をカプラーにて連結して使用してもよい。
【００３９】
５．目地工
プレキャストコンクリート版１，１……間に跨らせてケーブルダクト３２ａ，３２ｂを設置するとともに、各プレキャストコンクリート版１，１の短辺間の幅方向目地１２に構築しようとするＰＣ床板の幅方向に連続させて目地内シース３６を設置した後、前述したプレキャストコンクリート版間の長辺方向及び短辺方向の両目地１２，３３及び対角線方向の空間３１内に無収縮性の目地モルタルを充填する。
【００４０】
６．目地部ＰＣ緊張材挿通工
前述した目地工によるモルタル充填後、モルタルの固化を待って、前述した短辺方向目地内に埋設された目地内シース３６内に目地部ＰＣ緊張材３８を挿通する。尚、この目地用ＰＣ緊張材３８の挿通は、目地モルタルの充填前に行ってもよい。
【００４１】
７．ＰＣ緊張材緊張工
上記目地モルタルの固化後、各ＰＣ緊張材３０，３４，３８の緊張を行う。この緊張作業は、構築しようとするＰＣ床板の一方の縁部に各ＰＣ緊張材の一端側を定着させ、他方の縁部において油圧ジャッキを使用して緊張定着させる。
【００４２】
また、各ＰＣ緊張材３０，３４，３８の緊張の順序は、最初に対角方向ＰＣ緊張材３０の緊張を行い、しかる後幅方向の各ＰＣ緊張材３４，３８の緊張作業を行う。これによって各プレキャストコンクリート版１，１……間を一体化させると同時に、各プレキャストコンクリート版１における幅方向及び対角方向のプレストレスを導入させる。
【００４３】
尚、対角方向ＰＣ緊張材３０による緊張は、主として各プレキャストコンクリート版１，１間の長手方向の一体化を行わせるためのものであるとともに、そのプレキャストコンクリート版短辺方向の分力によって、幅方向のプレストレス導入を補助させる。
【００４４】
また、短辺方向ＰＣ緊張材３４によってプレキャストコンクリート版１に幅方向のプレストレスを導入させ、目地部ＰＣ緊張材３８によって短辺方向の目地内に、ＰＣ床板の幅方向に向けたプレストレスを導入させる。
【００４５】
また、このＰＣ緊張材緊張工は、構築する床板の全長が長い場合には、長手方向の一部に一定間隔毎、例えば３００ｍ〜６００ｍ毎に、コンクリートの乾燥収縮を吸収させるための収縮吸収部を設け、この部分のＰＣ緊張材の緊張定着を、時間を置いて行う。この収縮吸収部は、床板の全幅に亘ってプレストレスが付与されない部分を構成させるものであり、例えば図１２に示すように、に示すように、互いに交差する対角方向ＰＣ緊張材３０ｓ，３０ｓ及び幅方向ＰＣ緊張材を緊張定着させて先緊張部Ｓ，Ｓをプレストレス施工し、その間に何れの向きのＰＣ緊張材も緊張されていない収縮吸収部Ｎを設ける。この先緊張部Ｓには、一方の対角線方向にしか緊張がなされていない半緊張部Ｓ１と、両対角線方向の緊張がなされている全緊張部Ｓ２とが構成される。
【００４６】
尚、図１２中、実線で描いたＰＣ緊張材３０ｓは緊張済みのものを示しており、破線で示したＰＣ緊張材３０ｎは未緊張のものを示している。
【００４７】
このようにして収縮吸収部Ｎを残してその両側に対して先にプレストレスを導入しておき、許容できる一定の期間を経過させる。これによって各プレキャストコンクリート版１のコンクリート乾燥収縮が進み、先緊張部Ｓの端部が移動し、収縮吸収部Ｎとの間の目地間隔が大きくなる。
【００４８】
この広がった目地に無収縮性の目地モルタルを充填した後に、収縮吸収部Ｎに対してプレストレスを導入させるとともに、その両側の先緊張部Ｓと一体化させる。この作業は、前述した半先緊張部Ｓ１と収縮吸収部Ｎとに跨らせて挿通した両対角方向ＰＣ緊張材３０ｎ，３０ｎを緊張定着させることによって行う。
【００４９】
尚、各ＰＣ緊張材３０ｓ，３０ｎは床板両側部の全長に亘る長さのものを使用する他、所望の長さのものをカプラーによって連結して使用してもよい。
【００５０】
８．グラウト工
各ＰＣ緊張材３０，３４，３８を緊張しプレストレスを導入させた後、それらの各ＰＣ緊張材挿通孔及びケーブルダクト内にグラウトを注入する。
【００５１】
９．表面舗装工
このようにして形成されたＰＣ床板の上に、必要に応じてアスファルト等の舗装を敷設することにより舗装を施す。尚、この舗装は必ずしも必要ではない。
【図面の簡単な説明】
【００５２】
【図１】本発明方法に使用するプレキャストコンクリート版の一例の平面図である。
【図２】同上の正面図である。
【図３】同上の底面図である。
【図４】図１中のＡ−Ａ線断面図である。
【図５】同Ｂ−Ｂ線断面図である。
【図６】本発明に方法におけるプレキャストコンクリート版架設状態を示す平面図である。
【図７】同側面図である。
【図８】同上の高さ調整工程を示す断面図である。
【図９】本発明におけるＰＣ緊張材の緊張定着状態の概略を示す部分拡大平面図である。
【図１０】同上の対角方向ＰＣ緊張材連結部分を示す部分拡大平面図である。
【図１１】同上の幅方向ＰＣ緊張材の目地部挿通状態を示す拡大断面図である。
【図１２】本発明におけるＰＣ緊張材の緊張定着作業において収縮吸収部を設けた状態を示す略図的平面図である。
【図１３】従来のプレキャストコンクリート版による床板の更に他の例を示す平面図である。
【図１４】同上の目地部を示す断面図である。
【符号の説明】
【００５３】
Ｎ  収縮吸収部
Ｓ  先緊張部
Ｓ１  半緊張部
Ｓ２  全緊張部
１  プレキャストコンクリート版
２  対角方向突条
３  周方向突条
４  切欠部
４ａ  定着面
５  支圧板
６  ＰＣ緊張材
７  対角方向ＰＣ緊張材挿通孔
８  短辺方向ＰＣ緊張材挿通孔
１０  下部工
１０ａ  桁
１１  沓
１２  幅方向目地
１５  モルタル受け箱
１６  コイルスプリング
１７  パッド
１８  段差調整用の金具
１９  ボルト
２０  アンカーナット
２１  無収縮性のモルタル
３０  対角方向ＰＣ緊張材
３０ａ  個別ＰＣ緊張材
３０ｂ  カプラー
３０ｓ  緊張済ＰＣ緊張材
３０ｎ  未緊張ＰＣ緊張材
３１  空間部
３２ａ，３２ｂ  ケーブルダクト
３３  長辺方向目地
３４  幅方向ＰＣ緊張材
３６  目地内シース
３８  目地用ＰＣ緊張材
【図１】
2006283317.tif 000003
【図２】
2006283317.tif 000004
【図３】
2006283317.tif 000005
【図４】
2006283317.tif 000006
【図５】
2006283317.tif 000007
【図６】
2006283317.tif 000008
【図７】
2006283317.tif 000009
【図８】
2006283317.tif 000010
【図９】
2006283317.tif 000011
【図１０】
2006283317.tif 000012
【図１１】
2006283317.tif 000013
【図１２】
2006283317.tif 000014
【図１３】
2006283317.tif 000015
【図１４】
2006283317.tif 000016